(57)【要約】【課題】プラズマディスプレイ装置においてコントラスト特性を向上させること。【解決手段】本発明によるプラズマディスプレイ装置は、スキャン電極及びサステイン電極を含む前面パネル、スキャン電極及びサステイン電極と交差するデータ電極を含み、前面パネルと一定距離を置いて平行に結合された背面パネルと、前面パネルと背面パネルの間に放電セルを区切るために配置された隔壁と、放電セル内部に可視光を放出する蛍光体及び前面パネル上部に配列された電磁波遮蔽フィルターとを含む。さらに、電磁波遮蔽フィルターはベース層と、ベース層上に均等の厚さを持って配置されたメッシュパターンの金属層とを含む。【選択図】図３
2008078136.tif 000002
【特許請求の範囲】
【請求項１】
スキャン電極及びサステイン電極を含む前面パネルと、
前記スキャン電極及びサステイン電極と交差するデータ電極を含み、
前記前面パネルと一定距離を置いて平行に結合された背面パネルと、
前記前面パネルと背面パネルの間に放電セルを区切るために配置された隔壁と、
前記放電セル内部に可視光を放出する蛍光体と、
前記前面パネル上部に配列された電磁波遮蔽フィルターと、
を含み、
前記電磁波遮蔽フィルターは、ベース層と、前記ベース層上に均等な厚さを持って配置されたメッシュパターンの金属層とを含むことを特徴とするプラズマディスプレイ装置。
【請求項２】
前記金属層のメッシュパターンは多角形状であることを特徴とする、請求項１記載のプラズマディスプレイ装置。
【請求項３】
前記多角形は四角形であり、
前記四角形の一辺と前記ベース層の基準水平ラインと成す角はバイアスされた角であることを特徴とする、請求項２記載のプラズマディスプレイ装置。
【請求項４】
前記多角形状のメッシュの内で少なくとも一部分で前記メッシュの高さが変化していることを特徴とする、請求項２記載のプラズマディスプレイ装置。
【請求項５】
前記多角形状のメッシュの内で少なくとも一部分で前記メッシュの高さが一定となっていることを特徴とする、請求項２記載のプラズマディスプレイ装置。
【請求項６】
前記金属層のメッシュパターンは四角形状を成して、
前記四角メッシュの４部分の高さはお互いに対称的に変化していることを特徴とする、請求項２記載のプラズマディスプレイ装置。
【請求項７】
前記メッシュパターンの金属層厚さは１０μｍ以上２００μｍ以下であることを特徴とする、請求項１記載のプラズマディスプレイ装置。
【請求項８】
前記メッシュパターンの金属層の表面は暗い色を帯びることを特徴とする、請求項１記載のプラズマディスプレイ装置。
【請求項９】
前記ベース層は緩衝材質を含むことを特徴とする、請求項１記載のプラズマディスプレイ装置。
【請求項１０】
前記ベース層の厚さは３０μｍ以上５００μｍ以下のことを特徴とする、請求項１記載のプラズマディスプレイ装置。 
【請求項１１】
前記ベース層は１×１０Ｐａ以上１×１０９Ｐａ以下のヤング率を持つことを特徴とする、請求項１記載のプラズマディスプレイ装置。
【請求項１２】
前記ベース層は樹脂を含むことを特徴とする、請求項１記載のプラズマディスプレイ装置。
【請求項１３】
前記ベース層はポリジメチルシロキサンである（ＰＤＭＳ、ｐｏｌｙｄｉｍｅｔｈｙｌ ｓｉｌｏｘａｎｅ）、 ポリメチルメタクリレート（ＰＭＭＡ、ｐｏｌｙｍｅｔｈｙｌ ｍｅｔｈｃｒｙｌａｔｅ）、エチレン-酢酸ビニル共重合樹脂（ＥＶＡ、ｅｔｈｙｌｅｎｅ ｖｉｎｙｌ ａｃｅｔａｔｅ）内の一つ以上を含むことを特徴とする、請求項１記載のプラズマディスプレイ装置。
【請求項１４】
前記ベース層は近赤外線遮蔽物質及び色温度補正物質の内で少なくとも一つ以上を含むことを特徴とする、請求項１記載のプラズマディスプレイ装置。
【請求項１５】
前記金属層はカーボンを含むことを特徴とする、請求項１記載のプラズマディスプレイ装置。
【請求項１６】
メッシュパターンの突出部を持つモールド上部に樹脂を塗布してメッシュパターンの溝を持つベース層を形成する段階と、
前記ベース層上部に金属物質を塗布してメッシュパターンの金属層を形成する段階と、前記ベース層背面にフィルムあるいはガラス基板を形成する段階を含む、プラズマディスプレイ装置用電磁波遮蔽フィルターの製造方法。
【請求項１７】
前記ベース層は近赤外線遮蔽物質及び色温度補正物質を一つ以上さらに含むことを特徴とする、請求項１６記載のプラズマディスプレイ装置用電磁波遮蔽フィルターの製造方法。
【請求項１８】
前記金属層は表面処理されて黒化される段階をさらに含むことを特徴とする、請求項１６記載のプラズマディスプレイ装置用電磁波遮蔽フィルターの製造方法。
【請求項１９】
前記金属層はカーボンを含むことを特徴とする、請求項１６記載のプラズマディスプレイ装置用電磁波遮蔽フィルターの製造方法。
【請求項２０】
前記メッシュパターンの金属層厚さは均等に形成されることを特徴とする、請求項１６記載のプラズマディスプレイ装置用電磁波遮蔽フィルターの製造方法。
【発明の詳細な説明】
【技術分野】
【０００１】
本発明はプラズマディスプレイ装置及びそのための電磁波遮蔽フィルターの製造方法に関する。
【背景技術】
【０００２】
一般的にプラズマディスプレイ装置はプラズマ放電を利用して映像を表示するプラズマディスプレイパネルとプラズマディスプレイパネルの前面に配置されるディスプレイ用フィルターを含む。
【０００３】
プラズマディスプレイパネルは前面パネルと背面パネルの間に形成された隔壁が一つの単位放電セルを成すことで、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。前述の単位放電セルは複数個が集まって一つの画素（Ｐｉｘｅｌ）を成す。例えば、赤色（Ｒｅｄ、Ｒ）セル、緑色（Ｇｒｅｅｎ、Ｇ)セル、青色（Ｂｌｕｅ、Ｂ）セルが集まって一つのピクセルを成すのである。
【０００４】
このような単位放電セルに高周波電圧が印加されて放電される時、不活性ガスは真空紫外線（Ｖａｃｕｕｍ Ｕｌｔｒａ Ｖｉｏｌｅｔ ｒａｙｓ）を発生して隔壁の間に形成された蛍光体を発光させて画像が具現される。
【０００５】
プラズマディスプレイパネルの上面には画像の品質をさらに向上させるための一環で色補正膜であるが有害な電磁波を遮断する電磁波遮断膜などの機能を持ったフィルターを配置するようになる。このようなフィルターの機能性及び構造に対する研究が続いている。
【発明の開示】
【発明が解決しようとする課題】
【０００６】
本発明の目的は、コントラスト特性を向上させることができるプラズマディスプレイ装置及びプラズマディスプレイ装置用電磁波遮蔽フィルター製造方法を提供することにある。
【課題を解決するための手段】
【０００７】
本発明の一つの実施形態に係るプラズマディスプレイ装置は、スキャン電極及びサステイン電極を含む前面パネルと、スキャン電極及びサステイン電極と交差するデータ電極を含み、
前面パネルと一定距離を置いて平行に結合された背面パネルと、前面パネルと背面パネルの間に放電セルを区切るために配置された隔壁と、放電セル内部に可視光を放出する蛍光体と、前面パネル上部に配列された電磁波遮蔽フィルターとを含み、電磁波遮蔽フィルターは、ベース層と、ベース層上に均等な厚さを持って配置されたメッシュパターンの金属層とを含む。
【０００８】
金属層のメッシュパターンは断面が多角形状であってもよい。
【０００９】
ベース層は緩衝材質を含んでもよい。
【００１０】
メッシュパターンの金属層の表面は暗い色を帯びるるようにしてもよい。
【００１１】
本発明の一つの実施形態に係るプラズマディスプレイ装置用電磁波遮蔽フィルターの製造方法はメッシュパターンの突出部を持つモールド上部に樹脂を塗布してメッシュパターンの溝を持つベース層を形成する段階と、ベース層上部に金属物質を塗布してメッシュパターンの金属層を形成する段階と、ベース層背面にフィルムあるいはガラス基板を形成する段階とを含む。
【００１２】
ベース層は近赤外線遮蔽物質及び色温度補正物質を一つ以上さらに含んでもよい。
【００１３】
金属層はカーボンを含んでもよい。
【００１４】
メッシュパターンの金属層厚さは均等に形成してもよい。
【発明の効果】
【００１５】
このようにモールドを利用してフィルターを形成する方法は製造工程を簡単にして製造時間を縮めて生産足止まりを向上させることができる効果がある。例えば、従来の方法で必要な露光、現象工程またはスパッタリング（ｓｐｕｔｔｅｒｉｎｇ）等の複雑で高価な工程を略することができるし、オフセット方式（Ｏｆｆｓｅｔ）工程と別途の装備が必要ない。
【発明を実施するための最良の形態】
【００１６】
以下では本発明による具体的な実施形態を添付された図面を参照して説明する。
【００１７】
図１は本発明の一つの実施形態に係るプラズマディスプレイ装置の構成の一例を説明するための図である。
【００１８】
図１に示すのように、本発明の一つの実施形態に係るプラズマディスプレイ装置はケース４００とケースの上部を覆うカバー５００とケースとカバー間に位置する駆動回路基板１００、プラズマディスプレイパネル２００及びディスプレイ用フィルター３００を含む。
【００１９】
プラズマディスプレイパネル２００は複数のスキャン電極（Ｙ）、サステイン電極（Ｚ）、 アドレス電極（Ｘ）を含む。駆動回路基板１００に形成された駆動部(図示せず)がこのような電極に駆動電圧を供給して放電を発生させて画像を具現するが、このようなプラズマディスプレイパネル２００の構造の一例を注意深く見れば次図２の通りである。
【００２０】
図２は本発明のプラズマディスプレイパネル構造の一例を示す図である。
【００２１】
図２に示すように、プラズマディスプレイパネルは一例で画像がディスプレイされる表示面である前面基板２０１にスキャン電極（２０２、Ｙ）とサステイン電極（２０３、Ｚ）が対を成して形成された複数の維持電極対が配列された前面パネル２６０と背面を成す背面基板２１１上に前述の複数の維持電極対と交差になるように複数のデータ電極（２１３、Ｘ）が配列された背面パネル２１０が一定距離を間に置いて平行に結合される。
【００２２】
前面パネル２６０は一つの放電セルで相互放電させてセルの発光を維持するためのスキャン電極（２０２、Ｙ）及びサステイン電極（２０３、Ｚ）を含む。スキャン電極及びサステイン電極はそれぞれ透明なＩＴＯ物質に形成された透明電極（２０２ａ、２０３ａ）と金属材質に製作されたバス電極（２０２ｂ、２０３ｂ）を含むことができるし、透明電極のみでもバス電極だけで形成されることができる。
【００２３】
スキャン電極（２０２、Ｙ）及びサステイン電極（２０３、Ｚ）は放電電流を制限して電極対の間を絶縁させてくれる一つ以上の上部誘電体層２０４によって覆われて、上部誘電体層２０４上面には放電条件を容易くするために一例で酸化マグネシウム（ＭｇＯ）を蒸着した保護層２０５が形成される。
【００２４】
背面パネル２１０は複数の放電セルを形成させるためのストライプタイプまたはウェルタイプの隔壁２１２を含む。このような隔壁は前面パネルに含まれることができる。また背面パネルはデータ電極（２１３、Ｘ）を含み、データ電極はアドレス放電を遂行して真空紫外線を発生させるために隔壁２１２に対して平行に配置される。放電セル内部にはアドレス放電時画像表示のための可視光線を放出するＲ、Ｇ、Ｂ蛍光体２１４が塗布される。   
【００２５】
データ電極（２１３、Ｘ）と蛍光体２１４の間にはデータ電極（２１３、Ｘ）を保護するための下部誘電体層２１５が形成される。
【００２６】
前面パネル２６０と背面パネル２１０がシーリング工程を通じて合着されてプラズマディスプレイパネルが形成される。 そして図面に示されていないがプラズマディスプレイパネルのスキャン電極（２０２、Ｙ）、サステイン電極（２０３、Ｚ）及びデータ電極（２１３、Ｘ）に駆動電圧を供給する駆動部が形成された駆動回路基板１２０がプラズマディスプレイパネル背面に配置される。
【００２７】
このような駆動回路基板１００の駆動部(図示せず)はプラズマディスプレイパネル駆動の時所定期間に、例えばリセット期間にリセットパルス、アドレス期間にスキャンパルス、 サステイン期間にサステインパルスのような駆動パルスをプラズマディスプレイパネルの電極に供給して画像を具現する。
【００２８】
一方、 プラズマディスプレイパネル２００の前面にはディスプレイ用フィルター３００が配置される。
【００２９】
図３は本発明の一つの実施形態に係るディスプレイ用フィルター構造の断面を示す図であり、図４Ａ及び図４Ｂは本発明の一つの実施形態に係るディスプレイ用フィルター構造の平面を示す図である。
【００３０】
先ず、図３を参照すれば、ディスプレイ用フィルター３００はベース層３１１とベース層上部にメッシュパターンの金属層３２１を含む。
【００３１】
ベース層３１１は透明な物質からなり、これに加えて弾性を持つ緩衝材料を含み耐衝撃機能及び騷音防止機能を確保できる。例えば、ベース層３１１に樹脂を含むことでプラズマディスプレイ装置駆動の時に発生する騷音を一定程度低減させることができ、外部の衝撃を吸収してプラズマディスプレイパネルを保護することができる。
【００３２】
このような樹脂は高分子系列のポリジメチルシロキサンである（ｐｏｌｙ ｄｉｍｅｔｈｙｌ ｓｉｌｏｘａｎｅ)、ポリメチルメタクリレート（ｐｏｌｙ ｍｅｔｈｙｌ ｍｅｔｈｃｒｙｌａｔｅ）、エチレン-酢酸ビニル共重合樹脂（ｅｔｈｙｌｅｎｅ ｖｉｎｙｌ ａｃｅｔａｔｅ）などが含まれることができるし、この内少なくとも何れか一つだけ含むことができる。
【００３３】
また、 ベース層３１１は近赤外線遮蔽及び色温度補正の物質の内の一つ以上をさらに添加してベース層３１１が複合的な機能を遂行するようにする。これによって、ディスプレイ用フィルター製作工程を容易にできる。
【００３４】
ベース層の厚さは金属層を支持する支持強度とプラズマディスプレイパネル駆動の時一定程度光透過率を確保するために３０μｍ以上５００μｍ以下を持つことが望ましい。
【００３５】
メッシュパターンの金属層３２１は所定の高さを持つ立体構造物である。 
【００３６】
このような立体構造物は全体的に均等な厚さを持つことができるし、一部分でのみ均等な高さを持つことができる。これはプラズマディスプレイパネルの全体スクリーンの内の特定領域における電磁波強さや輝度の差に応じて適用される。
【００３７】
また、 メッシュパターンの金属層表面はブラック系列の物質がさらに含まれて暗い色を帯びることができる。ブラック系列の物質は例えばカーボンのような導電性を帯びた物質である。このように金属層表面が暗い色を帯びるようになれば外部から入射される光反射率を低減させてコントラス特性を向上させることができる。
【００３８】
メッシュパターンの金属層厚さ１０μｍ以上２００μｍ以下の範囲を持つ。このような数値範囲で金属層は電磁波遮蔽機能とともにプラズマディスプレイパネルの輝度特性を同時に満足することができる。
【００３９】
図４Ａ及び図４Ｂを参照すれば、金属層のメッシュパターンをそれぞれ四角形、六角形状で示しているが、これらに限定せず多角形状を持つようにすることができる。特に、メッシュパターンが四角形状を持つ場合、四角形の一辺とベース層の水平基準ライン（Ｌ）と成す角はバイアスされる。すなわち、全体画面上では菱形形状でメッシュパターンを成すようにする。このように菱形形体や六角形状とすることで、プラズマディスプレイパネル駆動の時画面で示されるモアレ現象を防止することができる。
【００４０】
また、金属層のメッシュが多角形状を持つ場合、多角形状のメッシュの内で少なくとも一部分でメッシュの高さが変化されることができるし、多角形状のメッシュの内で少なくとも一部分で前記メッシュの高さが一定することができる。
【００４１】
このようなメッシュパターンの金属層構造に対しては後述する。
【００４２】
前記のような構造を持つディスプレイ用フィルターは主に電磁波遮蔽機能をして補助的に色補正機能、外部光遮断機能、およそ赤外線遮蔽機能ができる。
【００４３】
図５Ａ及び図５Ｂと図６Ａ乃至図６Ｃは本発明の一つの実施形態に係る金属層の構造を立体的に示す図である。
【００４４】
先ず、図５Ａ及び図５Ｂは金属層３２１のメッシュパターンが四角形状の場合、メッシュパターンの立体構造を示す図である。
【００４５】
図５Ａに示すように、単位四角形の金属層で第１辺（１）及び第１辺と隣合う第２辺（２）に対応する金属層３２１のパターンの高さは対称的に変わる。すなわち、四角形の４辺の内でお互いに隣合う二つの辺、例えば、第１辺(1)と第２辺（２）または第３辺（３）と第４辺（４）に対応するパターンの高さは二つの辺がお互いに接する地点から漸進的に小さくなるようにする。
【００４６】
また、図５Ｂのように、高さが対称的に変わる第１辺（１）と第２辺（２）とは別に、残り２辺（３）、（４）の高さは一定となるように形成してもよい。
【００４７】
図６Ａ乃至図６Ｃは金属層３２１のメッシュパターンが六角形状の場合、メッシュパターンの立体構造を示す図である。
【００４８】
先ず、図６Ａに示す構造では、単位六角形の金属層で第１辺（１）及び第１辺と隣合う第２辺（２）に対応する金属層３２１のパターンの高さは、残り辺（図で１〜４以外の辺）に対応する金属層のパターンの高さより高い。ここで、六角形の第１辺（１）及び第２辺（２）に対応する金属層のパターンの高さは対称的に変化させる。すなわち、第１辺（１）及び第２辺（２）がお互いに接する地点から漸進的に小さくなるようにする。
【００４９】
図６Ａにおいて、六角形の第１辺（１）及び第２辺（２）と対向する第３辺（３）と第４辺（４）に対応する金属層のパターンの高さも、残り辺（図で１〜４以外の辺）に対応する金属層のパターンの高さより高くしてもよい。第３辺（３）及び第４辺（４）の高さも対称的に変化させ、お互いに接する地点から漸進的に小さくなるようにする。
【００５０】
図６Ｂに示す構造では、単位六角形の金属層で第１辺（１）及び第１辺と隣合う第２辺（２）に対応する金属層のパターンの高さは、残り辺（図で１〜４以外の辺）に対応する金属層のパターンの高さより高くするか、六角形の第１辺（１）及び第２辺（２）に対応する金属層のパターンの高さを一定する。
【００５１】
図６Ｂにおいて、六角形の第１辺（１）及び第２辺（２）と対向する第３辺（３）と第４辺（４）に対応する金属層のパターンの高さも、残り辺（図で１〜４以外の辺）に対応する金属層のパターンの高さより高いか、一定高さを持つようにする。
【００５２】
図６Ｃに示す構造では、単位六角形の金属層で第１辺（１）及び第１辺と隣合う第２辺（２）に対応する金属層のパターンの高さは、残り辺（図で１、２以外の辺）に対応する金属層の高さより高くする。ここで、六角形の第１辺（１）及び第２辺（２）に対応する電磁波遮蔽層４１２のパターンの高さを対称的に変化させ、二つの辺がお互いに接する地点から漸進的に小さくなるようにする。
【００５３】
図６Ｃにおいて、六角形の第１辺（１）及び第２辺（２）以外の残り辺（図で１、２以外の辺）に対応する電磁波遮蔽層４１２パターンの高さは一定である。
【００５４】
図７Ａ及び図７Ｂは本発明の一つの実施形態に係るディスプレイ用フィルターの製造方法を説明するための図である。
【００５５】
先ず図７Ａを参照すれば、本発明の一つの実施形態に係るディスプレイ用フィルターを製造するため、（ａ）のようにメッシュパターンの突出部を持つモールド３０１を準備する。 モールドの突出部の高さは、望ましくは均等に形成される。
【００５６】
以後、（ｂ）のようにモールド３０１上部に樹脂を塗布した後、約１００〜２００℃ に乾燥させる。ここで、樹脂は前に説明したように、高分子系列のポリジメチルシロキサン（ｐｏｌｙ ｄｉｍｅｔｈｙｌ ｓｉｌｏｘａｎｅ）、ポリメチルメタクリレート（ｐｏｌｙ ｍｅｔｈｙｌ ｍｅｔｈｃｒｙｌａｔｅ）、エチレン-酢酸ビニル共重合樹脂（ｅｔｈｙｌｅｎｅ ｖｉｎｙｌ ａｃｅｔａｔｅ）などが含まれることができる。
【００５７】
また樹脂に近赤外線遮蔽及び色温度補正の物質がさらに添加されて一つのフィルター層で多様な機能ができるようにできる。
【００５８】
乾燥後、樹脂をモールドで脱着させると、溝が形成されたメッシュパターンのベース層３１１が作成される。ベース層３１１は１×１０Ｐａ以上１×１０９ Ｐａ以下のヤング率（Ｙｏｕｎｇ’ｓ ｍｏｄｕｌｕｓ） を持つように樹脂の量を調節して外部衝撃を吸収してディスプレイの安全性を向上させることができる。
【００５９】
以後、（ｃ）のようにメッシュパターンどおり溝が形成されたベース層３１１に金属材料のような電磁波遮蔽材料３２１を塗布する。例えば、銀（Ａｇ）ペーストまたは銀（Ａｇ）の錯鹽状態のインクをベース層上部に塗布する。
【００６０】
このような電磁波遮蔽材料はベース層３１１にメッシュパターンに形成された溝に形成されて金属層３２１を形成する。
【００６１】
金属層３２１はコントラスト特性を向上させるためにカーボン物質がさらに追加されて色が全体的に暗い色を帯びるようにでき、金属層表面にカーボン物質を塗布した後黒化処理してコントラスト特性を向上させることができる。
【００６２】
金属層３２１の厚さは均等に形成されて、このような金属層の厚さはベース層に形成されたメッシュパターンの溝の高さによって調節される。
【００６３】
以後、（ｄ）のように金属層が形成されたベース層背面にフィルムあるいはガラス基板３３１を附着してフィルターを完成することができる。金属層３２１のメッシュパターンは四角形状（Ｓ１）や六角形状（Ｓ２）でもよいし、また、これらに限ることではない。
【００６４】
一方、図７Ｂは本発明の一つの実施形態に係るディスプレイ用フィルターの製造方法の他の例を示された。
【００６５】
図７Ｂを参照すれば、（ａ）のようにフィルムあるいはガラス基板３３１上部に樹脂３１１を塗布する。
【００６６】
樹脂３１１には図７Ａと同じように、緩衝材質や近赤外線遮蔽及び色温度補正の物質がさらに含まれることができる。
【００６７】
以後、（ｂ）のようにあらかじめ用意したメッシュパターンのモールド３０１を樹脂上部で圧搾して樹脂に溝を持つメッシュパターンを形成する。
【００６８】
以後、（ｃ）のようにモールドを樹脂で脱着させて、樹脂を乾燥させてベース層３１１を形成する。
【００６９】
以後、（ｄ）及び（ｅ）段階で図７Ａのような方法でベース層上部に金属層３２１を形成する。
【図面の簡単な説明】
【００７０】
【図１】本発明の一つの実施形態に係るプラズマディスプレイ装置の構成の一例を説明するための図。
【図２】本発明のプラズマディスプレイパネル構造の一例を示す図。
【図３】本発明の一つの実施形態に係るディスプレイ用フィルター構造の断面を示す図。
【図４Ａ】本発明の一つの実施形態に係るディスプレイ用フィルター構造の平面を示す図。
【図４Ｂ】本発明の一つの実施形態に係るディスプレイ用フィルター構造の平面を示す図。
【図５Ａ】本発明の一つの実施形態に係る金属層の構造を立体的に示す図。
【図５Ｂ】本発明の一つの実施形態に係る金属層の構造を立体的に示す図。
【図６Ａ】本発明の一つの実施形態に係る金属層の他の構造を立体的に示す図。
【図６Ｂ】本発明の一つの実施形態に係る金属層の他の構造を立体的に示す図。
【図６Ｃ】本発明の一つの実施形態に係る金属層の他の構造を立体的に示す図。
【図７Ａ】本発明の一つの実施形態に係るディスプレイ用フィルターの製造方法を説明するための図。
【図７Ｂ】本発明の一つの実施形態に係るディスプレイ用フィルターの製造方法を説明するための図。
【図１】
2008078136.tif 000003
【図２】
2008078136.tif 000004
【図３】
2008078136.tif 000005
【図４Ａ】
2008078136.tif 000006
【図４Ｂ】
2008078136.tif 000007
【図５Ａ】
2008078136.tif 000008
【図５Ｂ】
2008078136.tif 000009
【図６Ａ】
2008078136.tif 000010
【図６Ｂ】
2008078136.tif 000011
【図６Ｃ】
2008078136.tif 000012
【図７Ａ】
2008078136.tif 000013
【図７Ｂ】
2008078136.tif 000014